(57)【特許請求の範囲】
【請求項１】
少なくとも１つの打撃面を備えたスティックヘッドと、該スティックヘッドの長手方向に対して直角となるように該スティックヘッドに固定したシャフトと、を有したスティックの前記打撃面に着脱自在に取り付け可能なスティックキャップであって、
該スティックキャップは、前記打撃面に取り付ける取付部と、該取付部に隣接しボールを打撃する打撃部と、を有し、
該打撃部は、前記シャフトの長手方向から見たときに先端が扇形状であると共に、前記シャフトの長手方向に上向きだけに傾斜した１つの傾斜面を備え、
該傾斜面が上向きに凸形状となるように彎曲したスティックキャップ
【請求項２】
請求項１に記載のスティックキャップを、前記スティックの前記打撃面に取り付けた球技用スティック
【請求項３】
請求項２に記載の球技用スティックと、
該球技用スティックの前記打撃部で打撃するボールと、
前記球技用スティックで打撃した前記ボールが乗った場合に得点を加算する複数の得点プレートと、
該複数の得点プレートを設置するエリアを規定するエリア規定部材と、
を備えた球技用具
【請求項４】
前記ボールが卵形状または楕円形状である請求項３に記載の球技用具
【請求項５】
前記スティックキャップおよび前記ボールの材質は、ポリウレタンフォームである請求項３または４に記載の球技用具
【発明の詳細な説明】
【技術分野】
【０００１】
本発明は、球技に用いるスティックキャップ、球技用スティックおよび球技用具に関する。
【背景技術】
【０００２】
特許文献１には、ゲートボールに用いられるスティックの先端部に着脱自在に取り付けられるスティックヘッドであって、スティックヘッドがセラミック類、或いはセラミック類、金属、木粉またはエンジニアリングプラスチックのうち少なくとも２種を必須成分とする硬質組成物により形成されたゲートボール用スティックヘッドが記載されている。
【０００３】
また、特許文献２には、第一プレーエリア及び第二プレーエリアを有する球技コートと、前記第一プレーエリアの第一競技者と第二プレーエリアの第二競技者が足で蹴合う小球とから成り、前記球技コートは、球技マットと、該球技マット上に表示された左右のサイドラインと、該サイドラインの両端部を結ぶエンドラインと、前記エンドラインと平行して球技コートの中央部に表示されたセンターラインと、該センターラインの両端でサイドラインに沿って形成された防護壁と、前記各ライン及び防護壁で区画された前記第一プレーエリア及び第二プレーエリアとから構成された球技用具が記載されている。
【先行技術文献】
【特許文献】
【０００４】
【特許文献１】特開昭６４−００５５７３号公報
【特許文献２】特許第２８７２４８２号公報
【発明の概要】
【発明が解決しようとする課題】
【０００５】
本発明は、打撃したボールの進行方向（飛ぶ方向）および移動距離（飛距離）の予測を難しくし、球技の娯楽性を向上させることができるスティックキャップ、球技用スティックおよび球技用具を提供することを課題とする。
【課題を解決するための手段】
【０００６】
請求項１に係る発明は、少なくとも１つの打撃面を備えたスティックヘッドと、該スティックヘッドの長手方向に対して直角となるように該スティックヘッドに固定したシャフトと、を有したスティックの前記打撃面に着脱自在に取り付け可能なスティックキャップであって、該スティックキャップは、前記打撃面に取り付ける取付部と、該取付部に隣接しボールを打撃する打撃部と、を有し、該打撃部は、前記シャフトの長手方向から見たときに先端が扇形状であると共に、前記シャフトの長手方向に上向きだけに傾斜した１つの傾斜面を備え、該傾斜面が上向きに凸形状となるように彎曲したスティックキャップである。
【０００７】
（削除）
【０００８】
請求項２に係る発明は、請求項１に記載のスティックキャップを、前記スティックの前記打撃面に取り付けた球技用スティックである。
【０００９】
請求項３に係る発明は、請求項２に記載の球技用スティックと、該球技用スティックの前記打撃部で打撃するボールと、前記球技用スティックで打撃した前記ボールが乗った場合に得点を加算する複数の得点プレートと、該複数の得点プレートを設置するエリアを規定するエリア規定部材と、を備えた球技用具である。
【００１０】
請求項４に係る発明は、前記ボールが卵形状である請求項３に記載の球技用具である。
【００１１】
また、請求項５に係る発明は、前記スティックキャップおよび前記ボールの材質は、ポリウレタンフォームである請求項３または４に記載の球技用具である。
【発明の効果】
【００１２】
請求項１または２に係る発明によれば、打撃部がシャフトの長手方向から見たときに先端が扇形状ではなく、かつ、シャフトの長手方向に上向きだけに傾斜した１つの凸形状の傾斜面を備えていないスティックキャップと比較して、打撃したボールの進行方向および移動距離の予測を困難にすることができる。
【００１３】
（削除）
【００１４】
請求項３に係る発明によれば、打撃したボールが飛ぶ方向および飛ぶ距離の予測が困難であるため、獲得できる得点の予測が困難で意外性に富む球技を楽しむことができる。
【００１５】
請求項４に係る発明によれば、打撃したボールが球形である場合と比較して、打撃したボールの進行方向および移動距離の予測がさらに困難であるため、獲得できる得点の予測がより困難な球技を楽しむことができる。
【００１６】
請求項５に係る発明によれば、スティックキャップおよびボールがポリウレタンフォームからなるため、打撃したボール（打球）が人体等に当たっても怪我をすることが無く、安全性が高い球技を楽しむことができる。
【図面の簡単な説明】
【００１７】
【図１】従来の球技用スティックの正面図（ａ）と、右側面図（ｂ）である（実施例１）
【図２】従来の球技用スティックの組み立て状態を説明する斜視図である（実施例１）
【図３】スティックキャップの正面図（ａ）、右側面図（ｂ）、背面図（ｃ）、平面図（ｄ）、底面図（ｅ）である（実施例１）
【図４】球技用スティックの正面図（ａ）、右側面図（ｂ）である（実施例１）
【図５】スティックキャップの右側面図である（実施例２）
【図６】スティックキャップの右側面図である（実施例２）
【図７】（削除）
【図８】球技エリアの平面図である（実施例４）
【図９】台の側面図である（実施例４）
【発明を実施するための形態】
【００１８】
本発明の実施例を、図面を用いて以下に説明する。
【実施例１】
【００１９】
〔従来のスティック〕
本発明に係るスティックキャップは、従来の球技に用いられていたスティックのボールの打撃面に着脱自在に装着するものである。このため、まず、従来球技で用いられていたスティックについて説明する。
【００２０】
図１に示すように、従来のスティック７は、木製または金属性のスティックヘッド８と、スティックヘッド８の長手方向（Ｘ軸方向）に対して直角（Ｚ軸方向）となるようにスティックヘッド８に固定した木製または金属性のシャフト９と、を有したものである。
【００２１】
図２に示すように、スティック７は、スティックヘッド８に形成された有底の穴１３にシャフト９の一端を嵌合させることにより組み立てられている。また、シャフト９の他端近傍には、プレイヤーがスティック７を把持するための把持部１１が形成されている。
【００２２】
さらに、スティックヘッド８の長手方向の一端には、ボールを打撃するための打撃面１０が形成されている。打撃面１０は、スティックヘッド８の長手方向の両端に形成されていても良い。
【００２３】
プレイヤーは、シャフト９の把持部１１を両手または片手で掴みながらスティック７を振ることにより、スティックヘッド８の打撃面１０をボール１２に当てて球技を楽しむ。
【００２４】
〔スティックキャップ〕
図３に示すように、本発明に係るスティックキャップ１は、少なくとも１つの打撃面１０を備えたスティックヘッド８と、スティックヘッド８の長手方向（Ｘ軸方向）の直角な方向（Ｚ軸方向）に、スティックヘッド８に固定したシャフト９と、を有したスティック７の打撃面１０に着脱自在に取り付け可能に構成されている。
【００２５】
また、スティックキャップ１は、打撃面１０に取り付ける取付部６と、取付部６に隣接し、ボール１２を打撃する打撃部５とを有している。そして、打撃部５は、シャフト９の長手方向（Ｚ軸方向）から見たときに、先端２が扇形状であると共に、シャフト９の長手方向（Ｚ軸方向）に傾斜した傾斜面３を備えている。
尚、図３においては、左側面図の図示を省略している。これは、右側面図（ｂ）と同一になるからである。
【００２６】
（取付部）
取付部６は、ポリウレタンフォームで形成された円柱状部材の一端において有底の穴４を形成することにより構成されている。穴４の直径Ｅは、スティックヘッド８の打撃面１０の近傍の直径とほぼ同じ大きさである。また、穴４の底１４は、スティックヘッド８の打撃面１０と密着できるように構成されている。ここで、「密着」とは、穴４の底１４と、スティックヘッド８の打撃面１０とが必ずしも直接的に接触している必要は無く、例えば、両面テープを介して接続されていても良い。
【００２７】
本実施例１においては、スティックヘッド８の打撃面１０の近傍の直径がφ２９ｍｍであるスティック７を採用したため、スティックキャップ１は直径５９ｍｍの円柱形状のポリウレタンフォームを加工して製造した。取付部６は、当該円柱形状のポリウレタンフォームの一端から深さＤ＝３０ｍｍ、直径Ｅ＝φ２９ｍｍの穴４を略中央部に加工して形成した。
【００２８】
（打撃部）
打撃部５は、円柱形状のポリウレタンフォームの他端に形成したボール１２を打撃する部分であって、取付部６に隣接して形成されている。打撃部５の先端２は、図３（ｄ）および（ｅ）に示すように、シャフト９の長手方向（Ｚ軸方向）から見たときに、扇形状になっている。このため、プレイヤーが先端２にボール１２を当てた時、ボール１２の当たる位置によってＸＹ方向におけるボール１２が飛ぶ向きが変わる。つまり、先端２が扇形状になっているので、プレイヤーは、ボール１２の飛ぶ方向を予測することが非常に困難である。
【００２９】
また、プレイヤーが斜面５にボール１２を当てた場合は、斜面１２がＸ軸方向に対してシャフト９の長手方向（Ｚ軸方向）に角度θで傾斜しているので、ボール１２が上方に上がる可能性が高い。ボール１２を上に上がり易くすることによりボール１２の飛ぶ方向および飛ぶ距離の予測をより一層困難にするため、角度θは４５度より小さくしている。角度θは、１０度以上３５度以下であることが望ましい。本実施例１においては、角度θは３５度、寸法Ｃは、約８６ｍｍとした。
【００３０】
〔球技用スティック〕
本発明に係る球技用スティック１５は、図４に示したように、前記した従来のスティック７のスティックヘッド８の打撃面１０に、前記したスティックキャップ１の穴４の底１４を密着させて取り付けたものである。スティックキャップ１のスティックヘッド８への取り付けは、穴４の底１４に円形状に加工した両面テープの一方の粘着面を貼り付け、他方の粘着面を打撃面１０に貼り付けることにより行った。
【００３１】
かかる構成により、球技用スティック１５は、プレイヤーがシャフト９の把持部１１を把持して矢印Ｉ方向に振ると、地面に置かれているボール１２が打撃部５の先端２および／または斜面３により打撃される。このため、プレイヤーは、ボール１２の飛ぶ方向および飛ぶ距離の予測を非常に困難にすることができる。
【実施例２】
【００３２】
本発明の第２実施例を、図５および図６を用いて以下に説明する。
説明を簡単にするため、実施例１との相違点のみを詳細に説明し、実施例１と同一の部分については、同一の符号を付して説明を省略する。
尚、図５および図６については、図３における右側面図（ｂ）に相当する図面しか図示していない。これは、他の図面（図３における（ａ）、（ｃ）、（ｄ）および（ｅ））は略同一となるからである。
【００３３】
本実施例２の実施例１との主な相違点は、図５に示すように、斜面３がシャフト９の長手方向（Ｚ軸方向）に凹形状に湾曲している点のみである。かかる構成により、実施例１のスティックキャップ１および球技用スティック１５よりもボール１２が上方に上がり易くなるため、より一層プレイヤーがボール１２の飛ぶ方向および飛距離を予測することが困難となる。
【００３４】
尚、図６に示すように、斜面３がシャフト９の長手方向（Ｚ軸方向）に凸形状に湾曲していても良い。この場合も、実施例１のスティックキャップ１および球技用スティック１５よりもボール１２が前方（スティックヘッド８を振る向き）に飛び易くなるが、プレイヤーがボール１２の飛ぶ方向および飛距離を予測することは困難である。
【実施例３】
【００３５】
（削除）
【００３６】
（削除）
【００３７】
（削除）
【００３８】
（削除）
【００３９】
（削除）
【実施例４】
【００４０】
本発明の第４実施例を、図８を用いて以下に説明する。
説明を簡単にするため、実施例１と同一の部分については、同一の符号を付して説明を省略する。
【００４１】
本実施例４は、実施例１に記載した球技用スティック１５と、球技用スティック１５の打撃部５で打撃するボール１２と、球技用スティック１５で打撃したボール１２が乗った場合に得点を加算する複数の得点プレート２４と、複数の得点プレート２４を設置するエリア２６を規定するエリア規定部材２５と、を備えた球技用具である。
【００４２】
（ボール）
ボール１２は、図４に示したように球形状であっても良いし、楕円形状または卵形状であっても良い。ボール１２が卵形状または楕円形状である場合は、球形状である場合と比較して、プレイヤーがさらにボール１２の飛ぶ距離および飛ぶ方向を予測することが困難となるため、球技の意外性および娯楽性を高めることができる。
【００４３】
また、ボール１２をスティックキャップ１と同じポリウレタンフォームで製造した場合は、球技用スティック１５で打撃したボール１２が人体等に当たっても人体等に与えるダメージが非常に小さいので、球技の安全性を高めることができる。本実施例４においては、ボール１２の材質をポリウレタンフォームとし、ボール１２の寸法を半径２５ｍｍの球形状とした。
【００４４】
（得点プレート）
得点プレート２４は、図８に示すように、エリア規定部材２５により規定した球技エリア２６の内部の所定の位置に配置されるプレートである。球技用スティック１５で打撃したボール１２が得点プレート２４の上で停止した場合、ボール１２を打撃したプレイヤーに当該得点プレート２４に表示された得点が加算される。
【００４５】
得点プレートの一例としては、図８に示すように、Ｐ（Ｐｒｏｓｐｅｒ）１および２、Ｒ（Ｒｅｔｕｒｎ）１〜９、Ｗ（Ｗｉｎ）、Ｍ（Ｍｅｒｒｙ）、Ｈ（Ｈａｐｐｙ）、並びにＳ（Ｓｕｃｃｅｓｓ）の計１５枚を挙げることができる。
【００４６】
Ｐ１は、西側プレイヤーの球技開始位置を示すと共に、Ｐ１の上にボール１２が停止すると１０００点の得点を取得できる得点プレートでもある。同様に、Ｐ２は、東側プレイヤーの球技開始位置を示すと共に、Ｐ２の上にボール１２が停止すると１０００点の得点を取得できる得点プレートでもある。
【００４７】
その他、Ｒ１〜８、Ｗ、Ｍ、ＨおよびＳの各得点プレートも、これらの上にボール１２が停止すると１０００点の得点を取得できる。Ｒ１〜８の上にボール１２が停止した場合の得点はゼロであり、再度ボール１２の打撃ができるというルールで球技をしても良い。
【００４８】
本実施例４においては、１５枚の各得点プレート２４は、直径２０ｍｍ、厚さ０．３ｍｍのウレタンシート製のものを採用し、ウレタンシートの表面に写真、得点等を印刷した。ウレタンシートは、厚さが０．３ｍｍ以上３ｍｍ以下であれば、球技に支障が生じない。
【００４９】
（エリア規定部材）
エリア規定部材２５は、複数の得点プレート２４が置かれる球技のエリアを規定するものである。本実施例４においては、直径約１０ｍｍの布製ロープを用いたが、これに限るものではなく、球技エリアを規定するものであれば、円形、楕円形または矩形のマット、シート等でも良い。また、球技エリアは、例えば、図８に示すように、長軸７ｍ、短軸５ｍの楕円形にしても良い。
【００５０】
本発明に係る球技用具を用いることにより、球技用スティック１５により打撃したボール１２が飛ぶ方向および飛ぶ距離の予測が非常に困難であるため、獲得できる得点の予測が困難で意外性に富む球技を楽しむことができる。
【００５１】
尚、ボール１２およびスティックキャップ１がポリウレタンフォーム製であるため、球技中の損耗、摩耗を少なくするため、ボール１２を打撃する時は、図９に示した台２７の上にボール１２を乗せることが望ましい。ここで、台２７は、ポリウレタンフォーム製の円形プレート（例えば、厚さ５ｍｍ、直径５０ｍｍ）の上にポリウレタンフォーム製の複数の突起２８が形成されたものである。
【００５２】
前記した実施例は、説明のために例示したものであって、本発明はこれらに限定されるものではなく、特許請求の範囲、発明の詳細な説明、及び図面の記載から当業者が認識する事ができる本発明の技術的思想に反しない限り、変更、削除および付加が可能である。
【００５３】
例えば、前記した実施例４においては、ボール１２の形状として球形状のものを示したが、これに限るものではなく、楕円形状または卵形状であっても良い。また、前記した実施例４においては、球技用スティックとして実施例１に記載のものを示したが、これに限るものではなく、実施例２または実施例３に記載の球技用スティックであっても良い。
【００５４】
また、前記実施例においては、スティックキャップおよびボール１２の材質としてポリウレタンフォームのものを示したが、これに限るものではなく、他の発泡樹脂またはゴム製であっても良い。ただし、本発明に係る球技用具は、打撃したボール１２の飛ぶ方向および飛距離が予測できない球技に用いるものであるため、人体等に当たった場合のダメージを非常に少なくするという観点から、軽くて柔らかい材質を選定すべきである。
【産業上の利用可能性】
【００５５】
本発明は、球技用具に適用される。
【符号の説明】
【００５６】
１  スティックキャップ
２  先端
３  傾斜面
５  打撃部
６  取付部
７  スティック
８  スティックヘッド
９  シャフト
１０  打撃面
１２  ボール
１５  球技用スティック
【要約】      （修正有）【課題】プレイヤーが打球の飛ぶ方向および距離の予測を困難にする球技を実現するためのスティックキャップ、球技用具等を提供する。【解決手段】スティックキャップ１は、少なくとも１つの打撃面を備えたスティックヘッドと、スティックヘッドの長手方向に対して直角方向にスティックヘッドに固定したシャフトと、を有したスティックの打撃面に着脱自在に取り付け可能であって、打撃面に取り付ける取付部６と、取付部６に隣接し、ボールを打撃する打撃部５とを有し、打撃部５は、シャフトの長手方向から見たときに、先端２が扇形状であると共に、シャフトの長手方向に傾斜した傾斜面３を備えている。【選択図】図３【図１】
0004747383.tif 000002
【図２】
0004747383.tif 000003
【図３】
0004747383.tif 000004
【図４】
0004747383.tif 000005
【図５】
0004747383.tif 000006
【図６】
0004747383.tif 000007
【図８】
0004747383.tif 000008
【図９】
0004747383.tif 000009